(57)【要約】    【課題】携帯電話機やネームカード等の物品を首から吊り下げた状態において、当該物品が身体から不要に離れないようにして、他人や物に引っかかったり、人の邪魔になったりすることなく、しかも、首から吊り下げていても疲労することなく、さらには、吊り下げた物品を保護することができ、安価なコストで製造可能なネックストラップを提供すること。    【解決手段】テープ状若しくは紐状のストラップ本体に、物品を首に吊り下げた状態で、衣服のボタンをかけることができるボタンホールが設けられた構成としている。    【選択図】            図２
0003104442.tif 000002
【実用新案登録請求の範囲】
【請求項１】
テープ状若しくは紐状のストラップ本体に、物品を首に吊り下げた状態で、衣服のボタンをかけることができるボタンホールが設けられていることを特徴とするネックストラップ。
【請求項２】
上記ボタンホールが複数形成されていると共に、異なる穴径にて形成されている請求項１記載のネックストラップ。
【考案の詳細な説明】
【技術分野】
【０００１】
この考案は、携帯電話機やネームカード等を首から吊り下げる際に使用するネックストラップに関する。
【背景技術】
【０００２】
従来、携帯電話機やネームカード等を首から吊すためのネックストラップは、組紐、織りテープ、ニット、合成樹脂材料から製造されたテープ状や紐状の部材がループ状に形成されてなるストラップであった。
このネットストラップは、例えば、特許文献１に示すように、テープ状部材がループ状に設けられて人の首から吊り下げ可能に形成されている。そして、この例のネックストラップでは、下端に取付けられた身分証明書（ネームカード）等を首から吊り下げて使用する吊り紐として形成されたものであり、紐部には、緊急時に分離して首から外れるように構成された連結部を具備するものであった。
【特許文献１】特開２００４−５７４２５号公報
【考案の開示】
【考案が解決しようとする課題】
【０００３】
しかしながら、上記ネックストラップでは、緊急時には連結部が分離して紐が首から外れるように構成されているものの、通常の使用時において、携帯電話機やネームカード等を取付けて首から吊り下げて使用している際、手を洗うような場合や、その他の状態で人が前屈みになったとき、吊り下げた物品の重みで身体から離れてぶら下がる状態となり、人の行為の邪魔になるという問題があった。また、それらの物品は、このネックストラップによって単に吊り下げられているだけなので、人の動きによって不用意に移動することとなり、ネックストラップが他人や物に引っかかったり、ドア等に挟まれて首が締め付けられたりする危険があり、さらに吊り下げた物品が壁やその他の部分にぶつかって破損する虞もあった。
【０００４】
さらには、当該ネックストラップを介して吊り下げた物品の重量が直接首に掛かるため、肩凝り等を起こす原因ともなっていた。
また、クリップ等を用いてストラップを固定する構成も考えられるが、この構成の場合には、異物感が生ずると共に、別部材を設けるためのコストがかかるという欠点があった。さらには、クリップ等を用いるとストラップを身体に沿わせることができず、上記したストラップと同じように引っかかりやすいという問題点もあった。
【０００５】
そこで、この考案は、携帯電話機やネームカード等の物品を首から吊り下げた状態において、当該物品が身体から不要に離れないようにして、他人や物に引っかかったり、人の邪魔になったりすることなく、しかも、首から吊り下げていても疲労することなく、さらには、吊り下げた物品を保護することができ、安価なコストで製造可能なネックストラップを提供することを目的としている。
【課題を解決するための手段】
【０００６】
上記目的を達成するため、この考案のネックストラップは、テープ状若しくは紐状のストラップ本体に、物品を首に吊り下げた状態で、衣服のボタンをかけることができるボタンホールが設けられていることを特徴としている。
この構成のネックストラップは、携帯電話機等の物品を吊り下げた状態でストラップ本体に形成したボタンホールを衣服のボタンに掛けることにより、当該ストラップ本体が身体から離れることが無くなる。したがって、人が前屈みになった場合であっても、吊り下げた携帯電話機等が身体から離れないので、人の邪魔になることは無く、また、携帯電話機等の物品の重さもボタン側にも分散されるので、身体に対する疲労を軽減することができる。さらに、吊り下げた携帯電話機等の物品が身体から離れることがないので、他人に引っかかったり、物品が壁等にぶつかたりする虞が無くなるので、安全でかつ当該物品の保護にも効果を発揮するものである。
【０００７】
また、クリップ等の別部材を用いることがないので、使用時の違和感を解消して、ストラップを確実に身体に沿わせることができると共に、安価なコストで提供することができる。
この考案の請求項２記載のネックストラップは、ボタンホールが複数形成されていると共に、異なる穴径にて形成されていることを特徴としている。
【０００８】
上記構成のネックストラップは、複数のボタンホールを衣服の複数のボタンに掛けることができるので、より確実にネックストラップのぶらつきを防止することができる。
また、異なる穴径のボタンホールが設けられていることにより、異なる大きさのボタンに対する適応性が向上する。
【考案を実施するための最良の形態】
【０００９】
次に、この考案の実施の態様を図面を参照して説明する。図１は、この考案のネックストラップの実施の態様を示す斜視図、図２は要部の部分拡大図、図３は当該ストラップの使用状態を示す斜視図である。
このネックストラップ１は、ストラップ本体１０と吊り下げ部１２とにより構成されている。ストラップ本体１０は、この実施の態様では、テープ状の部材がループ状に形成されて、首に吊り下げ可能に構成されている。ループ状となったストラップ本体１０の下端には、携帯電話機等を取付けることができる吊り下げ部１２が形成されている。
【００１０】
そして、上記ストラップ本体１０には、衣服に付けられているボタンをかけるためのボタンホール１１が設けられている。このボタンホール１１は、図３に示すように、ストラップ１を首からかけた状態において衣服のボタンＢ位置にほぼ対応するような位置に設けられており、また、複数のボタンを同時に掛けることができるように、所定の間隔で複数設けられている。この実施の態様のストラップ本体１０では、ストラップ本体１１の内側と外側において、複数のボタンホール１１の間隔がそれぞれ異なる間隔にて形成されている。したがって、衣服に取付けられたボタン同士の間隔が異なる場合であっても、最適なボタンホール１１を簡単に選択することができると共に、複数個所のボタンを掛ける場合であってもストラップ本体１０が皺になったりする虞を解消することができる。
【００１１】
上記ストラップ本体１０は、首から吊り下げて使用する形状を維持することができる部材であれば、種々のものが選択でき、例えば、ポリエステル等の繊維部材を用いて作成した織りテープ、編みテープから製造することができる。このストラップ本体１０に形成されるボタンホール１１としては、１本のテープ部材に形成する場合には、織りテープまたは編みテープの織製や編成時に一定間隔でボタンを通すことが可能なスリット状の空間を形成することにより設けることができる他、カッターやレーザー、熱や高周波、超音波等の方法を用いたりすることにより、テープの形成後にスリット状の空間を形成することもできる。上記織製や編成によってニードルテープやラッセルテープを形成する場合には、ボタンホール１１の大きさを織製や編成時に自由に変更することが可能となる。
【００１２】
さらに、テープ状の部材としては、細い２本のテープ状の部材を予め形成し、しかる後両者の端部を接合する際、ボタンホール１１となる部分について、非接合部分として形成していくことにより、上記ボタンホール１１を形成することができる。このストラップ本体１０は、テープ状の部材で形成する場合の他、１本の紐状部材に所定の間隔でボタンホール１１を形成することもでき、図４に示すように、細い２本の紐状部材を用いて、これらを縫合させる際に、所定の位置にボタンホール１１を形成していくこともできる。
【００１３】
ストラップ本体１０の素材としては、上記したポリエステル等の繊維部材の他、綿等の天然繊維を用いることもでき、また、合成樹脂の押し出し成形によってテープ状、紐状の部材を形成することもできる。さらに、これらの部材に対して、抗菌処理を施したり、反射材を含ませたりすることも簡単にできる。また、ストラップ本体１０は、ストレッチ効果のある態様を選択することができ、ジャガード柄、プリント加工、刺繍加工等により、文字やロゴを簡単に入れることもできる。
【００１４】
なお、ボタンホール１１は、被服側のボタンの間隔に応じて設けるほか、ボタンの大きさによっても孔の大きさが決定されるものであるが、複数ボタンホール１１を形成する場合には、大小の大きさのものを組合せて形成しておくことにより、ボタンＢに対する適応性を向上させることができる。
このように、この考案のネックストラップ１は、携帯電話機Ｍ等を吊り下げた状態でストラップ本体１０に形成したボタンホール１１を衣服のボタンＢに掛けることにより、人が前屈みになったときのような場合にあっても、携帯電話機Ｍ等を吊り下げているストラップ本体１１が身体から離れないようにしておくことができる。したがって、このストラップ本体１０にて吊り下げた携帯電話機Ｍ等が身体から離れることがないので、携帯電話機Ｍ等が人の邪魔になることは無く、また、携帯電話機Ｍ等の重さが、ストラップ本体１０だけでなくボタン側にも分散されて人に荷重されるので、首に掛かる荷重を軽くすることにより身体に対する疲労も軽減させることができる。さらに、吊り下げた携帯電話機Ｍ等は身体から離れることがないので、他人や物に引っかかったり、ストラップ本体１０や携帯電話機Ｍ等がドア等に挟まれて首が締め付けられたりする危険性がなく、さらに吊り下げた携帯電話機Ｍ等が壁等にぶつかったりする虞も無くなるので、安全でかつ当該物品の保護にも効果を発揮するものである。
【００１５】
また、クリップ等の別部材を用いることがないので、使用時の違和感を解消して、ストラップ本体１０を確実に身体に沿わせることができると共に、安価なコストで提供することができる。
【図面の簡単な説明】
【００１６】
【図１】この考案の実施の態様を示すネックストラップの斜視図である。
【図２】この考案のネックストラップの要部を示す正面図である。
【図３】上記ネックストラップを使用する状態を示す参考図である。
【図４】この考案の他の実施の態様を示すネックストラップの要部を示す正面図である。
【符号の説明】
【００１７】
１          ネックストラップ
１０        ストラップ本体
１１        ボタンホール
１２        吊り下げ部
Ｂ          ボタン
【図１】
0003104442.tif 000003
【図２】
0003104442.tif 000004
【図３】
0003104442.tif 000005
【図４】
0003104442.tif 000006